(57)【特許請求の範囲】
【請求項１】
建物のコーナー部を構成する一方の壁面に設けた庇本体と他方の壁面に設けたアルミニウム製の庇本体とをそれぞれ中空状に形成するとともに一端部をトメ切りにし、上記２つの庇本体をコーナーブロックを介してトメ接合により互いに連結するとともに、上記コーナーブロックの上面には庇本体の接合部に対応する位置に樋溝部を設けたことを特徴とするコーナー庇。
【請求項２】
上記庇本体の長手方向に沿って内部に中空部を形成するための壁部を形成するとともに、該壁部のうち上記コーナーブロックの樋溝部に干渉する部位の壁部は、トメ切り側の端部を切除したことを特徴とする、請求項１に記載のコーナー庇。
【請求項３】
上記庇本体の接合部の先端部には排水溝を下向きに形成したことを特徴とする、請求項１又は２に記載のコーナー庇。
【請求項４】
上記コーナーブロックの樋溝の先端は、上記庇本体の接合部の先端の手前に配置されていることを特徴とする、請求項３に記載のコーナー庇。
【発明の詳細な説明】
【技術分野】
【０００１】
本発明は、建物のコーナー部に設けられたコーナー庇に関する。
【背景技術】
【０００２】
一般に、住宅やオフィスビルには壁面に庇を設けることがある。この場合、一定の長さの庇本体を端部を突合せて接合させるのであるが、建物の１つの壁面に沿って複数の庇本体を接合して連続させるときは、隣り合う庇本体の端部は目で明瞭に認識しやすいから、接合作業も比較的容易に行なうことができる。
【０００３】
ところが、コーナー部の壁面は互いに直角をなすように形成されているので、接合の作業が容易でないほか、庇本体をトメ切りにしてトメ接合したときは、接合部は平面で接合する場合よりも長くなる。このため、例えば特許文献１に示されるものと同様に、２つの庇本体をコーナーブロックを介して接合することが行なわれている。
【特許文献１】特開２００４−１９１３７
【発明の開示】
【発明が解決しようとする課題】
【０００４】
しかしながら、雨が降ったときなど、雨水は接合部から内部に浸入しやすい。そして、浸入した雨水はコーナーブロック又はその周辺部に溜まる。その結果、雨が上がった後にも、コーナー部にたまった雨水がコーナー部から垂れ落ち続けるという問題があった。
【０００５】
このため、接合部をコーキング処理することも行なわれている。しかし、コーキング作業は常に安定して行なわれるとは限らず、長期間にわたって良好の水切りが保持される保証はない。
【０００６】
本発明は上記問題点を解消し、雨水を常に良好に排水処理ことができるコーナー庇を提供することをその課題とする。
【課題を解決するための手段】
【０００７】
上記課題を解決するため、請求項１に係る発明は、建物のコーナー部を構成する一方の壁面に設けた庇本体と他方の壁面に設けた庇本体とをそれぞれ中空状に形成するとともに一端部をトメ切りにし、上記２つの庇本体をコーナーブロックを介してトメ接合により互いに連結するとともに、上記コーナーブロックの上面には庇本体の接合部に対応する位置に樋溝部を設けたことを特徴とする。
【０００８】
請求項２に係る発明は、請求項１において、上記庇本体の長手方向に沿って内部に中空部を形成するための壁部を形成するとともに、該壁部のうち上記コーナーブロックの樋溝部に干渉する部位の壁部は、トメ切り側の端部を切除したことを特徴とする。
【０００９】
請求項３に係る発明は、請求項１又は２において、上記庇本体の接合部の先端部には排水溝を下向きに形成したことを特徴とする。
【００１０】
請求項４に係る発明は、請求項３において、上記コーナーブロックの樋溝の先端は、上記庇本体の接合部の先端の手前に配置されていることを特徴とする。
【発明の効果】
【００１１】
請求項１に係る発明によれば、建物のコーナー部に設けられた２つの中空状の庇本体の一端部をトメ切りにし、これらの庇本体をコーナーブロックを介してトメ接合により互いに連結するとともに、上記コーナーブロックの上面には庇本体の接合部に対応する位置に樋溝部を設けたから、雨水が上記接合部などから内部に浸入したとき、樋溝部内に落ちて排水される。したがって、雨水がコーナーブロック又はその周辺部に溜まって雨上がり後もコーナー部から垂れ落ち続けるということがない。また、コーキング処理によるものではないから、長期間にわたって雨水を常に良好に排水処理ことができる。
【００１２】
請求項２に係る発明によれば、庇本体の内部に中空部を形成するために、庇本体の長手方向に沿って壁部を形成する場合があるが、他の庇本体とトメ接合すると、壁部の端部も突合せられるので、壁部がコーナーブロックの樋溝部を横切るので、樋溝部内を流れる雨水の流れを止めてしまうが、上記壁部のトメ切り側の端部を切欠いたから、雨水がせき止められることがなく、排水が円滑に行われる。
【００１３】
請求項３に係る発明によれば、庇本体の接合部の先端部には排水溝を下向きに形成したから、雨水は樋溝の先端部から排水され、壁を伝い落ちることがないので、壁面を汚さない。
【００１４】
請求項４に係る発明によれば、コーナーブロックの樋溝の先端は、上記庇本体の接合部の先端の手前に配置されているから、コーナーブロックは排水溝から外部に露出することがない。
【発明を実施するための最良の形態】
【００１５】
図１は本発明に係るコーナー庇の横断面図であり、図２はその縦断面図である。
【００１６】
同図において符号１は窓部で、この窓部１は、建物の躯体の柱２と窓台３とまぐさ４とによって開口形成され、窓部１の上枠５と下枠６との間には障子７が配置されている。８は額縁、９ａは外装材、９ｂは内装材である。
【００１７】
上記窓部のコーナー部の上部にはコーナー庇が取り付けられている。コーナー庇は、コーナー部をはさんで設けられた２つの庇本体１０を接合してなるもので、庇本体１０は水平の下面板１１と傾斜した上面板１２とをと中間の壁部１４と先端側の壁部１５とによって連結し、内部に２つの中空部ａ、ｂを形成してなるものである。上記上面板１２の先端は下方に屈曲している。この屈曲部１６の先端と下面板１１の先端との間には溝１７が形成されている。また、上面板１２の基部は上方に起立する取付部１８とその上部にＬ字形に屈曲する受け部２０とに連続形成されている。そして、庇本体１０は上記取付部１８を窓台３にビス止め固定されている。２１はビス頭を隠すキャップ材である。なお、受け部２０にはシーリング材２２が施されている。２３はビスホールで、庇本体１０の小口にキャップ３６（図１、図３等参照）を固定する場合や、後述のコーナーカバー３７を固定する場合に、ビスを止めるのに使用される。
【００１８】
次に、コーナー部をはさんで設けられた２つの庇本体１０は、図３、図４に示されるように、コーナーブロック２４を介して接合連結されている。
【００１９】
すなわち、庇本体１０のコーナー部側の端部２５は４５度にトメ切りされている。
【００２０】
コーナーブロック２４は合成樹脂からなり、全体が略正方形で、上記上面板１２と下面板１１との間で基部側の壁部１３と先端側の壁部１５の内側に嵌合する程度の大きさに形成されている。中央部にはやや基部側の角隅部寄りに台部２６が形成されている。先端側は庇本体１０のビスホール２３との干渉を避けるために段差２７を介して一段低くなり、底面部２８に連続している。そして、上記台部２６には基部側と先端側の角隅部の対角線上に樋溝３０が形成され、その基部側は閉鎖され、先端側は開放されている。
【００２１】
また、一方の角隅部は直角に切欠きされ、切欠き部からは立上り片３１がＬ字形に形成されている。他方の角隅部の両側には流れ止め３２が形成されている。
【００２２】
さらに、台部２６には庇本体１０の中間の壁部１４との干渉を避ける逃げ溝３３が形成されている。
【００２３】
なお、上記コーナーブロック２４の構成に対応し、図５に示されるように、庇本体１０の上面板１２のトメ切り側の基部にはコーナーブロック２４の立上り片３１を通すための切欠き３４が形成されている。また、中間の壁部１４と先端側の壁部１５のトメ切り側の端部１４ａ、１５ａは切除されている。
【００２４】
上記構成において、上記２つの庇本体１０にそれぞれコーナーブロック２４を嵌め込んでトメ接合する。このとき、コーナーブロック２４の立上り片３１の背面にはシール材３５を貼り付けておき（水密を図るため）、庇本体１０の切欠き３４を通って取付部１８の正面側に露出するようにする。これにより、庇本体１０は安定して接合する。また、庇本体１０の中間の壁部１４は逃げ溝３３内に入り込むが、先端側の部分は切り欠きされているので樋溝３０には達しない。また、コーナーブロック２４の段差２７は庇本体１０のビスホール２３の手前に係合し、またコーナーブロック２４の端部は庇本体１０の先端側の壁部１５の背面側に係合する。以上により、２つの庇本体１０はコーナーブロック２４を介して接合され、一体的に連結される。
【００２５】
なお、２つの庇本体１０の接合部の上部には図２〜図４に示されるように、コーナーカバー３７を取り付けるのが好ましい。コーナーカバー３７の先端には各庇本体１０の先端側の屈曲部１６の外側面に係合する係合片３８を形成する。これにより、両庇本体１０が互いに開き方向に移動するのを阻止することができる。
【００２６】
上記構成によれば、建物のコーナー部に設けられた２つの中空状の庇本体１０の一端部をトメ切りにし、これらの庇本体１０をコーナーブロック２４を介してトメ接合により互いに連結するとともに、上記コーナーブロック２４の上面には庇本体１０の接合部に対応する位置に樋溝３０部を設けたから、雨水が上記接合部や上面板１２の基部の切欠き部などから内部に浸入したとき、樋溝３０部内に落ちる。樋溝３０の基部側は閉鎖されているので、内部の雨水は先端側に移動する。このとき、庇本体１０の中間の壁部１４と先端側の壁部１５は切欠きされているので、雨水の流れを妨げることはなく、雨水は樋溝３０に連続的に続く底面部２８に流れ込む。ここで雨水は横に広がって流れるが、流れ止め３２によって阻止されるから、先端側の壁部１５の切欠きからさらに先端に流れていく。先端には下面板１１がなく、溝１７が形成されているから、この溝１７が排水溝となり、ここからすみやかに排水される。したがって、雨水がコーナーブロック２４又はその周辺部に溜まって雨上がり後もコーナー部から垂れ落ち続けるということがない。また、コーキング処理によるものではないから、長期間にわたって雨水を常に良好に排水処理ことができる。
【００２７】
また、庇本体１０の内部に中空部を形成するために、庇本体１０の長手方向に沿って中間の壁部１４と先端側の壁部１５が形成されているが、上記壁部のトメ切り側の端部は切除されているから、雨水がせき止められることがなく、排水が円滑に行われる。
【００２８】
さらに、上述のように庇本体１０の接合部の先端部には排水溝１７を下向きに形成したから、雨水は樋溝３０の先端部から排水され、壁を伝い落ちることがないので、壁面を汚さない。
【００２９】
さらにまた、コーナーブロック２４の樋溝３０の先端は、上記庇本体１０の接合部の先端の手前に配置されているから、コーナーブロック２４は排水溝１７から外部に露出することがない。
【図面の簡単な説明】
【００３０】
【図１】本発明に係るコーナー庇を示す建物の横断面図
【図２】図１の縦断面図
【図３】コーナー庇の分解斜視図
【図４】コーナー庇の組立て完成図
【図５】コーナー庇の要部の縦断面図
【符号の説明】
【００３１】
１０  庇本体
１７  溝（排水溝）
２４  コーナーブロック
３０  樋溝
【図１】
0004791426.tif 000002
【図２】
0004791426.tif 000003
【図３】
0004791426.tif 000004
【図４】
0004791426.tif 000005
【図５】
0004791426.tif 000006